(57)【要約】  搬送波を位相変調する方法は、周波数ｆCの搬送波によって構成された信号ｓh（ｔ）のセットであって該信号ｓh（ｔ）の位相φ（ｔ）＝ｈφ0（ｔ）が時間ｔでｓh（ｔ）＝ｃｏｓ（２πｆCｔ＋ｈφ0（ｔ））という態様で変調されたものを生成することを伴い、ここでｈは整数でありφ0（ｔ）＝２ａｒｃｔａｎ（（ｔ−ｔ0）／ｗ0）である。上記変調は、時間ｔ0を中心とし正の特性期間ｗ0を有する単一の位相パルスに対応するものであり、量ｈ２πだけ信号ｓh（ｔ）の位相をインクリメントするものであり、単側波帯周波数スペクトルを直接的に生成する態様のものである。搬送波は、電磁的なタイプのものであってもよく、音響的なタイプのものであってもよい。具体的に、本方法は、単側波帯位相符号化によって２値情報を伝送すること、単側波帯直交信号を生成すること、単側波帯位相符号化マルチレベルデジタル信号を検出すること、同相および非同相で単側波帯位相符号化２値信号を伝送すること、および、単側波帯振幅−位相混合変調に適用される。【選択図】  図６
2018511202.tif 000002
【特許請求の範囲】
【請求項１】
搬送波を位相変調する方法であって、前記方法は、搬送周波数ｆCの波によって構成された信号ｓh（ｔ）のセットであって該信号ｓh（ｔ）の位相φ（ｔ）＝ｈφ0（ｔ）が時間ｔでｓh（ｔ）＝ｃｏｓ（２πｆCｔ＋ｈφ0（ｔ））という態様で変調されたものを生成し、ここでｈは整数でありφ0（ｔ）＝２ａｒｃｔａｎ（（ｔ−ｔ0）／ｗ0）であり、前記変調は、時間ｔ0を中心とし正の特性期間ｗ0を有する単一の位相パルスに対応するものであり、量ｈ２πだけ信号ｓh（ｔ）の位相をインクリメントするものであり、単側波帯周波数スペクトルを直接的に生成する態様のものであることを特徴とする、方法。
【請求項２】
前記搬送波が電磁的なタイプのものであることを特徴とする、請求項１に記載の方法。
【請求項３】
前記搬送波が音響的なタイプのものであることを特徴とする、請求項１に記載の方法。
【請求項４】
請求項１〜３のいずれか一項に記載の変調方法を適用することによって単側波帯位相符号化により２値情報を伝送する方法であって、前記位相の２値符号化のために、持続期間Ｔbにおけるｋ番目ビットが量２ｂkａｒｃｔａｎ（（ｔ−ｋＴb）／ｗ）を前記搬送波のトータルの前記位相φ（ｔ）に寄与させるように取り決め、ここでｂk＝１または０であり幅ｗはシンボル持続期間Ｔbと同じまたはシンボル持続期間Ｔbよりも短い、あるいは、前記位相の導関数がｋＴbを中心とするローレンツ関数２ｗ／（（ｔ−ｋＴb）2＋ｗ2）をビットｂkによって重み付けたものの合計であると考えて積分により位相を計算しその後位相変調方法を用いて前記位相が前記搬送波に付加され、形：
【数１】
2018511202.tif 000073
の伝送用の信号を得るために、変調信号の同相成分および直交成分である量ｃｏｓφ（ｔ）およびｓｉｎφ（ｔ）が計算され前記搬送波の同相レベルｃｏｓ２πｆCｔおよび直交レベルｓｉｎ２πｆCｔと結合させられることを特徴とする、方法。
【請求項５】
請求項１〜３のいずれか一項に記載の変調方法を適用することによって単側波帯直交信号を生成する方法であって、データチャンネル毎のレートを１／Ｔbとするデータ伝送で用いるための有限の持続期間Ｔbにわたる直交関数ｕh（ｔ）のセット、ここでｈ＝１，２，３，．．．，Ｎである、を生成するために、第１に、Ｔbが無限である状況を考え単一のパルスを規定し形：
【数２】
2018511202.tif 000074
を有する直交関数のベースを取り決め、ここで位相はφ0（ｔ）＝２ａｒｃｔａｎ（ｔ／ｗ）である、あるいは、信号
【数３】
2018511202.tif 000075
を考え以下の積分：
【数４】
2018511202.tif 000076
を実行することによって２つの信号ｓh（ｔ）およびｓh’（ｔ）が直交して分離していることを確保し、ここでｄφ0／ｄｔ＝２ｗ／（ｔ2＋ｗ2）は積分用の重みとして現れ、信号ｓh（ｔ）は、一定の振幅を有しており、信号ｓh（ｔ）のスペクトルは、単側波帯スペクトルであることを特徴とする、方法。
【請求項６】
無限ではなく有限の時間間隔Ｔbにわたる直交関数への一般化を行い、以下の形：
【数５】
2018511202.tif 000077
の周期信号を得るために、持続期間Ｔbだけ離れた周期的な一連の位相パルスを考え、ここで位相φ0の導関数はローレンツ関数の周期和であり、その和は形：
【数６】
2018511202.tif 000078
を有する周期関数として書き直すことができ、ここで整数ｈおよびｈ’で異なる２つの信号は時間間隔Ｔbにわたる直交関係：
【数７】
2018511202.tif 000079
を満たし、ｄφ0／ｄｔは、ｄφ0／ｄｔを計算して積分することによって、信号
【数８】
2018511202.tif 000080
を合成する前に位相φ0（ｔ，Ｔb）が得られるというような積分用の重みとして作用し、整数の前記位相へのシンプルな乗算を実行することのみによって、直交性の特性を有する振幅一定の信号のセットが得られ、さらに、単側波帯特性を維持する離散スペクトルが得られることを特徴とする、請求項５に記載の方法。
【請求項７】
請求項１〜３のいずれか一項に記載の変調方法を適用することによって単側波帯位相符号化２値信号を同相および非同相で伝送する方法であって、ビットレートを２倍にするために前記搬送波の同相成分および直交成分を個々に変調し、検討対象の信号は、以下の形を有し、２つのレベルの合計で構成されており、かつ、一定の振幅を有さないものであり：
【数９】
2018511202.tif 000081
ここで位相は
【数１０】
2018511202.tif 000082
であり、２つの独立したビットｂk,1(2)のセットはビットレートを２倍にするために用いられ、非同相レベルおよび同相レベルの各々のスペクトルは単側波帯スペクトルであり、トータルの信号は単側波帯特性を有していることを特徴とする、方法。
【請求項８】
請求項１〜３のいずれか一項に記載の変調方法を適用することによる、振幅変調および位相変調を混合した、搬送波の信号の混合変調方法であって、位相が形φ（ｔ）＝ｈφ0（ｔ）（ｈ＝１，２，３，．．．）で表現されるパルスについて、形：
【数１１】
2018511202.tif 000083
の信号を生成し、得られるスペクトルは単側波帯スペクトルであることを特徴とする、方法。
【請求項９】
請求項１に記載の方法を実行するための単側波帯位相パルスを生成するための装置であって、専用の高速ＤＳＰプロセッサまたは再構成可能な高速ＦＰＧＡプロセッサと、デジタル−アナログコンバータと、それぞれ量ｓｉｎφ（ｔ）およびｃｏｓφ（ｔ）を決定するための第１モジュールおよび第２モジュール（１０５，１０６）と、搬送周波数ｆCの波の同相部分および位相直交部分にそれぞれ前記量ｓｉｎφ（ｔ）およびｃｏｓφ（ｔ）を乗じるための第１ミキサーおよび第２ミキサー（１０９，１１０）と、前記第１ミキサーおよび第２ミキサー（１０９，１１０）によって送られた信号を結合するための加算回路（１１１）と、を備えることを特徴とする装置。
【請求項１０】
請求項１に記載の方法を実行するための単側波帯位相パルスを生成するための装置であって、ｄφ（ｔ）／ｄｔを合成するために期間２ＮＴbにおけるパルスｄφ0,S（ｔ）／ｄｔの２Ｎ個の周期的なシーケンスであって各シーケンスが先行するシーケンスからＴbだけ時間的にずれたものを生成するためのアナログ装置であって２ＮＴb離れた位相パルス間の重複が無視できるような基本位相φ0,S（ｔ）を用いるアナログ装置と、信号の周期的なシーケンス
【数１２】
2018511202.tif 000084
を合成するために１／２ＮＴbの整数倍の周波数の高調波を生成するための装置と、時間間隔
【数１３】
2018511202.tif 000085
において、ビットにｂk+qというインデックスを付するためにビットを逆多重化するように作用し、幅２ＮＴbのゲート関数П（ｔ）を用いることによって、トータルの位相導関数：
【数１４】
2018511202.tif 000086
を作るように構成されたデマルチプレクサと、を備えることを特徴とする、装置。
【請求項１１】
単側波帯位相符号化信号を復調するための装置であって、周波数ｆCの局部発信器（２０３）と、第１ミキサーおよび第２ミキサー（２０４，２０５）と、変調信号の同相成分ｃｏｓ（φ（ｔ））および直交成分ｓｉｎ（φ（ｔ））をそれぞれ得るための０°−９０°位相器（２０６）と、位相導関数：
【数１５】
2018511202.tif 000087
を得るために前記変調信号の前記同相成分ｃｏｓ（φ（ｔ））および前記直交成分ｓｉｎ（φ（ｔ））の各々を微分し得られた導関数の各々に前記変調信号の前記同相成分ｃｏｓ（φ（ｔ））および前記直交成分ｓｉｎ（φ（ｔ））の他方を乗じるためのモジュール（２０７）と、最初に生成された一連のローレンツ関数パルスを再構成するためのモジュールであって時間ｔk＝ｋＴbにおけるビットｂk＝１または０の値を識別するために単一のローレンツ関数パルスの大きさの半分の値を有する閾値検出器（２０８）を備えるモジュールと、を備えることを特徴とする、装置。
【請求項１２】
ゼロ振幅を含む４つの振幅レベルを備えた直交周期信号のベースによって信号を復調するための装置であって、周波数ｆCの局部発信器（３０３）と、第１ミキサーおよび第２ミキサー（３０４，３０５）と、変調信号の同相成分ｃｏｓ（φ（ｔ））および直交成分ｓｉｎ（φ（ｔ））をそれぞれ得る役割を担う０°−９０°位相器（３０６）と、期間Ｔbのローレンツ関数生成器に結合された復調モジュール（３０７）を用いることによって４値ビットの４つのレベルｈ＝０，１，２および３を分離して検出するための装置であって前記４つの振幅レベルの各々についての以下の２つの量：
【数１６】
2018511202.tif 000088
を作る装置と、前記量Ｒh（ｔ）およびＩh（ｔ）から以下：
【数１７】
2018511202.tif 000089
を与える時間幅Ｔbのゲート関数を用いた畳み込みを求めるための装置（３０８）と、量
【数１８】
2018511202.tif 000090
を計算するための装置（３０９）と、前記量
【数１９】
2018511202.tif 000091
において見られる時刻ｔ＝ｋＴbにおける前記レベルｈ＝０，１，２または３に関するピークであってビットｂkがｈに等しいことを示すピークを特定するように構成された閾値検出装置（３１０〜３１３）と、を備えることを特徴とする、装置。
【請求項１３】
光領域において単側波帯位相パルスを生成するための装置であって、データｂk＝１または０を供給するためのモジュール（４０１）と、ローレンツ関数生成器（４０２）と、位相生成モジュール（４０３）と、位相積分モジュール（４０４）と、搬送周波数を生成するためのレーザ生成器（４０６）と、電気光学位相変調器（４０５）であって望まれる位相変化に比例する電圧の作用でＳＳＢ位相変調光信号が光通信ネットワークにおける伝送のために前記変調器（４０５）において生成される態様で、波の位相を直接的に変調するように構成された電気光学位相変調器（４０５）と、を備えることを特徴とする、装置。
【発明の詳細な説明】
【技術分野】
【０００１】
本発明は、低周波領域から光領域までの電磁的なタイプのものであってもよく音響的なタイプのものであってもよい搬送波を位相変調する方法に関する。
【０００２】
また、本発明は、単側波帯（ＳＳＢ）位相符号化によって２値データを伝送する方法への適用に関する。
【０００３】
また、本発明は、ＳＳＢマルチレベルデジタル信号の符号化および検出に適用するための、単側波帯直交信号を生成する方法に関する。
【０００４】
また、本発明は、同相および非同相で単側波帯位相符号化２値信号を伝送する方法に関する。
【０００５】
また、本発明は、単側波帯振幅−位相混合変調方法への適用に関する。
【０００６】
また、本発明は、上述の方法を実行するための装置に関する。
【背景技術】
【０００７】
電話通信およびラジオにおける最初期の開発時から、送信用信号は、該信号のスペクトル領域よりも高い周波数の正弦波状の搬送波の振幅変調または位相変調によって、伝送されてきた。知られた全ての方法において、変調は、両側波帯周波数スペクトルすなわち搬送周波数の上側および下側の周波数成分を有するスペクトルを生成する。通常、上側波帯に含まれる情報は、下側波帯に含まれる情報と同じである。
【０００８】
よって、エンジニアは、割り当てられた周波数帯の占有を最適化するために、１つだけ側波帯を有するようにするためのソリューションを探し求めてきた（特に、米国特許第１４４９３８２号明細書参照）。具体的には、各ユーザがより少量の周波数スペースを占有するようにすれば、ユーザの数を増やしユーザ毎のコストを低減させることができる。
【０００９】
単側波帯（ＳＳＢ）を得るための一般的な方法は、被変調信号を生成した後において、望まない側波帯を抑圧するというものである。最もシンプルな技術は、バンドパスタイプのフィルタリングである。
【００１０】
より高いパフォーマンスをもたらす方法は、ヒルベルト変換によるフィルタリングである。１９２８年というかなり前にＨａｒｔｌｅｙによって提案されたように（米国特許第１６６６２０６号明細書参照）、それは、上側波帯（さらに下側波帯）を得るために、広帯域９０°移相器を用いて被変調信号の同相部分と直交部分との合計（さらに差分）を作る。
【００１１】
続いて、変形例が、Ｗｅａｖｅｒによって、“Ｐｒｏｃｅｅｄｉｎｇ  ｏｆ  ｔｈｅ  ＩＲＥ”１７０３−１７０５頁，１９５６年６月に掲載されたＤ．Ｋ．  Ｗｅａｖｅｒ  Ｊｒ．による “Ａ  ｔｈｉｒｄ  ｍｅｔｈｏｄ  ｏｆ  ｇｅｎｅｒａｔｉｏｎ  ａｎｄ  ｄｅｔｅｃｔｉｏｎ  ｏｆ  ｓｉｎｇｌｅ−ｓｉｄｅｂａｎｄ  ｓｉｇｎａｌｓ”と題された論文において、提案された。
【００１２】
特に、近年においては、ヒルベルト変換の方法は、デジタルシグナルプロセッサ（ＤＳＰｓ）が利用可能であることにより、適したものとなっている。
【００１３】
さらに、多くの用途にとって、単側波帯直交信号を生成することが望まれている。
【００１４】
直交波形の使用は、信号解析から信号伝送に至るまで、多くの用途を有する。後者の場合において、狙いとされる用途は、データ多重化である。第１のアプローチは、伝送されるべき情報ビットが乗じられた直交信号の合計により構成された信号によって搬送波を振幅変調するというものである。
【００１５】
「直交」という用語は、有限の持続期間（具体的には、１情報ビットを符号化する波形を伝送する時間Ｔs（または「シンボル」））にわたる２つの別の波形の積の積分がゼロであることを意味するために用いられる。互いに直交する波動関数の一例は、以下のセット：ｓｉｎ２・ｔ／Ｔs、ｓｉｎ４・ｔ／Ｔs、ｓｉｎ６・ｔ／Ｔsなど．．．によって与えられる。
【００１６】
直交多項式の生成を用いた変形例が、米国特許第３２０４０３４号明細書に記載されている。
【００１７】
また、例えば米国特許第３３８４７１５号明細書にあるような、エルミート関数の生成を用いた変形例が提案されている。
【００１８】
正弦関数による上述の変調もまた搬送波の周波数ｆCが以下の値：ｆC±１／Ｔs、ｆC±２／Ｔs、ｆC±３／Ｔsなど．．．をとることになる周波数変調に相当する（さらに位相変調に相当する）ことが分かる。これは、デジタルデータ伝送の分野において最も発展したソリューションである。この方法は、「直交周波数分割多重」（ＯＦＤＭ）として知られており、米国特許第３４８８４４５号明細書において具体的に説明されている。例えば、それは、ＡＤＳＬ、地上デジタルラジオまたはＴＶ放送に使用され、そしてより近年においては４Ｇモバイルネットワークにおいて使用されている。
【００１９】
搬送周波数を基に、一連の副搬送周波数が利用され、それらの各々は２値情報を伝送する。各副搬送波は、２値情報チャンネルのベクトルであり、Ｎ個の副搬送波の同時利用は、Ｎビットの多重化を可能にする。この方法では、チャンネル間の干渉を避けつつ復調後に各チャンネルから情報を取り出すことを可能にするために、副搬送波の各々によって搬送される信号は、直交性という特性を有する必要がある。
【００２０】
直交性は、副搬送周波数間の間隔がシンボル時間Ｔsの逆数の整数倍である場合に確保される。伝送時間Ｔsにおいて、パラレルに伝送されるＮビットの変調信号は、Ｎビットのフーリエ変換によって生成され、搬送周波数で乗じられる。受信時には、Ｎビットの各々によって搬送された値を取り出すために、変調信号を取り出すために搬送波を復調した後に、逆フーリエ変換がそれに適用される。
【００２１】
上記段落で説明した方法は、全て、両側波帯信号を生成する。また、直交関数の生成は、アナログまたはデジタルの複雑な合成処理（直交多項式またはエルミート関数では多くの微分および合計、ＯＦＤＭではフーリエ変換）を必要とする。
【００２２】
また、以下に、位相符号化の簡単な歴史を記載する。
【００２３】
現代のデジタル通信は、２値位相符号化による（または、同じことであるが位相シフトによる）デジタルデータ伝送を高い頻度で利用する。種々の異なる形式が用いられてきた。
【００２４】
「２値位相シフトキーイング」（Ｂ−ＰＳＫ）として知られる最もシンプルなものは、搬送波の位相を量０またはπで変調するというものである。時間間隔（ｋ−１）Ｔb＜ｔ≦ｋＴbにおける持続期間Ｔbのｋ番目ビットを伝送するために、位相は一定値ｂkπをとる。ここで、ビット「１」についてｂk＝１でありビット「０」についてｂk＝０である。
【００２５】
よりよい情報伝達レートを達成するために、上記原理が、偶数ｋについて時間間隔（ｋ−１）Ｔb＜ｔ≦ｋＴbにおける位相がｂkπであり奇数ｋについてシフトされた時間間隔（ｋ−１／４）Ｔb＜ｔ≦（ｋ＋１／４）Ｔbにおける位相がπ／２＋ｂkπである、４値位相シフトキーイング（Ｑ−ＰＳＫ）に拡張されてきた。
【００２６】
位相の時間的不連続性が、搬送周波数の両側（part et d'autre）においてゆっくりとしか低下しないスペクトル密度尾部を生じさせる。このため、例えば米国特許第２９７７４１７号明細書に記載されているような、よりコンパクトなスペクトルを得て隣接する周波数の搬送波によって伝送される個々のデジタル信号間の干渉を低減させるために、よりなだらかな（douces）位相変調が導入されてきた。
【００２７】
例えば、「周波数シフトキーイング」（ＦＳＫ）として知られている、周波数を変化させることによって符号化する方法は、経時的な位相変化（ＦＳＫの語源である周波数シフトを実行することに相当する）の線形補完を利用する。よって、位相は連続的であるが、その導関数はそうではない。
【００２８】
この意味で最も効果的な変調は、「ガウス最小シフトキーイング」またはＧＭＳＫによって得られ、例えばＧＳＭテレフォニーにおいて用いられる（例えば、Ｔｈｅ  Ｂｅｌｌ  Ｓｙｓｔｅｍ  Ｔｅｃｈｎｉｃａｌ  Ｊｏｕｒｎａｌ，  ５４，  Ｎｏ．６，  １０９５−１１２５頁  （１９７５）に掲載されたＨ．Ｅ．  ＲｏｗｅおよびＶ．Ｋ．  Ｐｒａｂｈｕによる“Ｐｏｗｅｒ  ｓｐｅｃｔｒｕｍ  ｏｆ  ａ  ｄｉｇｉｔａｌ，  ｆｒｅｑｕｅｎｃｙ−ｍｏｄｕｌａｔｉｏｎ  ｓｉｇｎａｌ”と題された論文参照）。
【００２９】
この方法では、非連続性を低減させるために、データビットを伝送する際に、位相の導関数が、持続期間Ｔbにおける正の矩形波信号（ビット１）または負の矩形波信号（ビット０）をガウス関数で畳み込んだものとされている。搬送波の位相は、その導関数を積分することによって変調され、位相インクリメントの大きさは、ビット１では＋π／２を有しまたはビット０では−π／２を有するように調整される。ＧＭＳＫの方法は、非常によく抑制されたスペクトル領域、典型的には周波数ｆC±１／２Ｔbを逸脱したところで−２０ｄＢスペクトルパワーが低下するもの、を有することを可能にする。これは図４に示されており、図４では両側波帯スペクトルの上側波帯のみが示されている。
【００３０】
これらの方法全てが、両側波帯スペクトルを生じさせる。
【発明の概要】
【００３１】
上記のように、単側波帯を直接的に生成する特性を有する知られた変調システムはない。「直接的に」という用語は、上述のような事後処理なしで生成することを意味する。
【００３２】
本発明は、上述の欠点に対処し、単側波帯被変調信号の直接的な生成を可能にすることを目的とする。
【００３３】
本発明は、搬送波を位相変調する方法によって従来技術の欠点に対処するものであって、この方法は、搬送周波数ｆCの波によって構成された信号ｓh（ｔ）のセットであって該信号ｓh（ｔ）の位相φ（ｔ）＝ｈφ0（ｔ）が時間ｔでｓh（ｔ）＝ｃｏｓ（２πｆCｔ＋ｈφ0（ｔ））という態様で変調されたものを生成し、ここでｈは整数でありφ0（ｔ）＝２ａｒｃｔａｎ（（ｔ−ｔ0）／ｗ0）であり、上記変調は、時間ｔ0を中心とし正の特性期間ｗ0を有する単一の位相パルスに対応するものであり、量ｈ２πだけ信号ｓh（ｔ）の位相をインクリメントするものであり、単側波帯周波数スペクトルを直接的に生成する態様のものであることを特徴とする。
【００３４】
搬送波は、低周波数から光周波数までの電磁的なタイプのものであってもよく、音響的なタイプのものであってもよい。
【００３５】
また、本発明は、本発明の変調方法を適用することによって単側波帯位相符号化により２値情報を伝送する方法であって、位相の２値符号化のために、持続期間Ｔbにおけるｋ番目ビットが量２ｂkａｒｃｔａｎ（（ｔ−ｋＴb）／ｗ）を搬送波のトータルの位相φ（ｔ）に寄与させる（contribue）ように取り決め（etablit）、ここでｂk＝１または０であり幅ｗはシンボル持続期間Ｔbと同じまたはシンボル持続期間Ｔbよりも短い、あるいは、位相の導関数がｋＴbを中心とするローレンツ関数２ｗ／（（ｔ−ｋＴb）2＋ｗ2）をビットｂkによって重み付けたものの合計であると考えて積分により位相を計算し（puis on integre la phase）その後位相変調方法を用いて位相が搬送波に付加され（adjointe）、形：
【数１】
2018511202.tif 000003
の伝送用の信号を得るために、変調信号の同相成分および直交成分である量ｃｏｓφ（ｔ）およびｓｉｎφ（ｔ）が計算され搬送波の同相レベルｃｏｓ２πｆCｔおよび直交レベルｓｉｎ２πｆCｔと結合させられる（combinees aux amplitudes en phase cos 2πfCt et en quadrature sin 2πfCt）ことを特徴とする、方法を提供する。
【００３６】
また、本発明は、本発明の変調方法を適用することによって単側波帯直交信号を生成する方法であって、データチャンネル毎のレートを１／Ｔbとするデータ伝送で用いるための有限の持続期間Ｔbにわたる直交関数ｕh（ｔ）のセット、ここでｈ＝１，２，３，．．．，Ｎである、を生成するために、第１に、Ｔbが無限である状況を考え単一のパルスを規定し形：
【数２】
2018511202.tif 000004
を有する直交関数のベースを取り決め（etablit）、ここで位相はφ0（ｔ）＝２ａｒｃｔａｎ（ｔ／ｗ）である、あるいは、信号
【数３】
2018511202.tif 000005
を考え以下の積分：
【数４】
2018511202.tif 000006
を実行することによって２つの信号ｓh（ｔ）およびｓh’（ｔ）が直交して分離していることを確保し（assure）、ここでｄφ0／ｄｔ＝２ｗ／（ｔ2＋ｗ2）は積分用の重みとして現れ（apparait comme un poids pour l'integration）、信号ｓh（ｔ）は、一定の振幅を有しており、信号ｓh（ｔ）のスペクトルは、単側波帯スペクトルであることを特徴とする、方法を提供する。
【００３７】
本方法の具体的な一側面では、それは、無限ではなく有限の時間間隔Ｔbにわたる直交関数への一般化を伴い、以下の形：
【数５】
2018511202.tif 000007
の周期信号を得るために、持続期間Ｔbだけ離れた周期的な一連の位相パルスを考え、ここで位相φ0の導関数はローレンツ関数の周期和であり、その和は形：
【数６】
2018511202.tif 000008
を有する周期関数として書き直すことができ、ここで整数ｈおよびｈ’で異なる２つの信号は時間間隔Ｔbにわたる直交関係：
【数７】
2018511202.tif 000009
を満たし、ｄφ0／ｄｔは、ｄφ0／ｄｔを計算して積分することによって、信号
【数８】
2018511202.tif 000010
を合成する前に位相φ0（ｔ，Ｔb）が得られるというような積分用の重みとして作用し、整数の位相へのシンプルな乗算を実行することのみによって、直交性の特性を有する振幅一定の信号のセットが得られ、さらに、単側波帯特性を維持する離散スペクトルが得られる。
【００３８】
よって、本発明の方法は、次数１の直交関数を生成するのに用いられていた位相に整数を乗じるだけで、単側波帯スペクトルを有する直交信号を生成し、次数Ｎ＞１について用いられる（utilisees d'ordre N>1）直交関数が生成される点が異なる、新規な位相変調方法である。
【００３９】
ＯＦＤＭがゆっくりと低下する（パワー則）スペクトル尾部を伴う幅Ｎ／Ｔbの両側波帯スペクトルを有するのに対し、本発明は、多重化であってそのスペクトルが下側波帯を有さずその上側波帯が主幅Ｎ／Ｔsを有するとともに急速に指数関数的に低下するスペクトル尾部を伴う多重化を提案する。
【００４０】
当然ながら、位相の符号を逆にすることにより、多重化であってそのスペクトルが上側波帯を有さずその下側波帯が主幅Ｎ／Ｔsを有するとともに急速に指数関数的に低下するスペクトル尾部を伴う多重化を実行することもできる。
【００４１】
また、本発明は、本発明の変調方法を適用することによって単側波帯位相符号化２値信号を同相および非同相で伝送する方法（d'emission en phase et hors phase de signaux）であって、ビットレートを２倍にするために搬送波の同相成分および非同相成分を個々に変調することを伴い、検討対象の信号は、以下の形を有し、２つのレベル（amplitudes）の合計で構成されており、かつ、一定の振幅を有さないものであり：
【数９】
2018511202.tif 000011
ここで位相は
【数１０】
2018511202.tif 000012
であり、２つの独立したビットｂk,1(2)のセットはビットレートを２倍にするために用いられ、非同相レベルおよび同相レベルの各々のスペクトルは単側波帯スペクトルであり、トータルの信号は単側波帯特性を有していることを特徴とする、方法を提供する。
【００４２】
また、本発明は、本発明の変調方法を適用することによる、振幅変調および位相変調を混合した、搬送波の信号の混合変調方法であって、位相が形φ（ｔ）＝ｈφ0（ｔ）（ｈ＝１，２，３，．．．）で表現されるパルスについて、方法は形：
【数１１】
2018511202.tif 000013
の信号を生成することを伴い、得られるスペクトルは単側波帯スペクトルであることを特徴とする、方法を提供する。
【００４３】
また、本発明は、本発明の方法を実行するための単側波帯位相パルスを生成するための装置であって、専用の高速ＤＳＰプロセッサまたは再構成可能な高速ＦＰＧＡプロセッサと、デジタル−アナログコンバータと、それぞれ量ｓｉｎφ（ｔ）およびｃｏｓφ（ｔ）を決定するための第１モジュールおよび第２モジュールと、搬送周波数ｆCの波の同相部分および位相直交部分にそれぞれ上記量ｓｉｎφ（ｔ）およびｃｏｓφ（ｔ）を乗じるための第１ミキサーおよび第２ミキサーと、上記第１ミキサーおよび第２ミキサーによって送られた信号を結合するための加算回路と、を備えることを特徴とする装置を提供する。
【００４４】
より具体的には、本発明はまた、本発明の方法を実行するための単側波帯位相パルスを生成するための装置であって、ｄφ（ｔ）／ｄｔを合成するために期間２ＮＴbにおけるパルスｄφ0,S（ｔ）／ｄｔの２Ｎ個の周期的なシーケンスであって各シーケンスが先行するシーケンスからＴbだけ時間的にずれたものを生成するためのアナログ装置であって２ＮＴb離れた位相パルス間の重複が無視できるような基本位相φ0,S（ｔ）を用いるアナログ装置と、信号の周期的なシーケンス
【数１２】
2018511202.tif 000014
を合成するために１／２ＮＴbの整数倍の周波数の高調波を生成するための装置と、時間間隔
【数１３】
2018511202.tif 000015
において、ビットにｂk+qというインデックスを付するためにビットを逆多重化（demultiplexer）するように作用し、幅２ＮＴbのゲート関数П（ｔ）を用いることによって、トータルの位相導関数：
【数１４】
2018511202.tif 000016
を作れるように構成されたデマルチプレクサと、を備えることを特徴とする、装置を提供する。
【００４５】
また、本発明は、単側波帯位相符号化信号を復調するための装置であって、周波数ｆCの局部発信器と、第１ミキサーおよび第２ミキサーと、変調信号の同相成分ｃｏｓ（φ（ｔ））および直交成分ｓｉｎ（φ（ｔ））をそれぞれ得るための０°−９０°位相器と、位相導関数：
【数１５】
2018511202.tif 000017
を得るために変調信号の同相成分ｃｏｓ（φ（ｔ））および直交成分ｓｉｎ（φ（ｔ））の各々を微分し得られた導関数の各々に変調信号の同相成分ｃｏｓ（φ（ｔ））および直交成分ｓｉｎ（φ（ｔ））の他方を乗じるためのモジュールと、最初に生成された一連のローレンツ関数パルスを再構成するためのモジュールであって時間ｔk＝ｋＴbにおけるビットｂk＝１または０の値を識別するために単一のローレンツ関数パルスの大きさ（amplitude）の半分の値を有する閾値検出器を備えるモジュールと、を備えることを特徴とする、装置を提供する。
【００４６】
また、本発明は、ゼロ振幅を含む４つの振幅レベルを備えた直交周期信号のベースによって信号を復調するための装置であって、周波数ｆCの局部発信器と、第１ミキサーおよび第２ミキサーと、変調信号の同相成分ｃｏｓ（φ（ｔ））および直交成分ｓｉｎ（φ（ｔ））をそれぞれ得る役割を担う０°−９０°位相器と、期間Ｔbのローレンツ関数生成器に結合された復調モジュールを用いることによって４値ビットの４つのレベルｈ＝０，１，２および３を分離して検出するための装置であって４つの振幅レベルの各々についての以下の２つの量：
【数１６】
2018511202.tif 000018
を作る装置と、量Ｒh（ｔ）およびＩh（ｔ）から以下：
【数１７】
2018511202.tif 000019
を与える時間幅Ｔbのゲート関数を用いた畳み込みを求めるための装置と、量
【数１８】
2018511202.tif 000020
を計算するための装置と、量
【数１９】
2018511202.tif 000021
において見られる時刻ｔ＝ｋＴbにおけるレベルｈ＝０，１，２または３に関するピークであってビットｂkがｈに等しいことを示すピークを特定するように構成された閾値検出装置と、を備えることを特徴とする、装置を提供する。
【００４７】
また、本発明は、光領域において単側波帯位相パルスを生成するための装置であって、データｂk＝１または０を供給するためのモジュールと、ローレンツ関数生成器と、位相生成モジュールと、位相積分モジュールと、搬送周波数を生成するためのレーザ生成器と、電気光学位相変調器であって望まれる位相変化に比例する電圧の作用でＳＳＢ位相変調光信号が光通信ネットワークにおける伝送のために変調器において生成される態様で、波の位相を直接的に変調するように構成された電気光学位相変調器と、を備えることを特徴とする、装置を提供する。
【００４８】
本発明の他の特徴および利点は、添付の図面を参照しつつ、例示的に与えられる本発明の具体的な実装例に関する以下の記載から明らかとなる。
【図面の簡単な説明】
【００４９】
【図１Ａ】図１Ａ〜１Ｃは、単一の位相パルスに対応する信号に関する単側波帯スペクトルであってその搬送波が変調指数を規定する異なる値の整数ｈについて位相変調されたもののスペクトル密度をプロットした、本発明の一側面に係る曲線を示す。
【図１Ｂ】図１Ａ〜１Ｃは、単一の位相パルスに対応する信号に関する単側波帯スペクトルであってその搬送波が変調指数を規定する異なる値の整数ｈについて位相変調されたもののスペクトル密度をプロットした、本発明の一側面に係る曲線を示す。
【図１Ｃ】図１Ａ〜１Ｃは、単一の位相パルスに対応する信号に関する単側波帯スペクトルであってその搬送波が変調指数を規定する異なる値の整数ｈについて位相変調されたもののスペクトル密度をプロットした、本発明の一側面に係る曲線を示す。
【図２Ａ】図２Ａおよび２Ｂは、信号スペクトルであってその搬送波が変調を規定する異なる非整数の値について位相変調されたもののスペクトル密度をプロットした曲線を示す。
【図２Ｂ】図２Ａおよび２Ｂは、信号スペクトルであってその搬送波が変調を規定する異なる非整数の値について位相変調されたもののスペクトル密度をプロットした曲線を示す。
【図３Ａ】図３Ａおよび３Ｂは、信号の単側波帯スペクトルであってその搬送波が１００％に近いＳＳＢ特性を示す変調を規定する異なるガウス値で位相変調されたもののスペクトル密度をプロットした、本発明の一側面に係る曲線を示す。
【図３Ｂ】図３Ａおよび３Ｂは、信号の単側波帯スペクトルであってその搬送波が１００％に近いＳＳＢ特性を示す変調を規定する異なるガウス値で位相変調されたもののスペクトル密度をプロットした、本発明の一側面に係る曲線を示す。
【図４】図４は、搬送波からの周波数のずれに対する信号の相対強度をプロットした曲線であって両側波帯スペクトルを規定している、従来技術に係る曲線を示す。
【図５Ａ】図５Ａおよび５Ｂは、本発明に係る単側波帯位相変調を用いたデジタル符号化方法において、第１に生成された位相導関数信号をプロットした曲線を示し、第２に積分により計算された（integre）位相信号をプロットした曲線を示す。
【図５Ｂ】図５Ａおよび５Ｂは、本発明に係る単側波帯位相変調を用いたデジタル符号化方法において、第１に生成された位相導関数信号をプロットした曲線を示し、第２に積分により計算された位相信号をプロットした曲線を示す。
【図６】図６は、本発明に係る単側波帯位相変調を用いたデジタル符号化装置の一例のブロックダイアグラムを示す。
【図７】図７は、単側波帯符号化された信号についての周波数に対する信号スペクトル密度をプロットした、本発明に係る曲線であって、位相インクリメントが厳密に２πに等しいものを示す。
【図８Ａ】図８Ａおよび８Ｂは、単側波帯符号化された信号についての周波数に対する信号スペクトル密度をプロットした、本発明に係る曲線であって、位相インクリメントがそれぞれ０．９６５×２πおよび０．９１２３×２πに等しいものを示す。
【図８Ｂ】図８Ａおよび８Ｂは、単側波帯符号化された信号についての周波数に対する信号スペクトル密度をプロットした、本発明に係る曲線であって、位相インクリメントがそれぞれ０．９６５×２πおよび０．９１２３×２πに等しいものを示す。
【図９】図９は、図７の曲線を生じさせるやり方と比べたときローレンツ関数がガウス関数で置き換えられているため単側波帯信号ではない符号化信号についての周波数に対する信号スペクトル密度をプロットした曲線を示す。
【図１０】図１０は、本発明の単側波帯位相符号化信号を復調するための装置の例のブロックダイアグラムを示す。
【図１１】図１１は、平均化されたマルチレベル位相符号化信号のスペクトル密度をプロットした、本発明の実装例に係る曲線を示す。
【図１２】図１２は、従来技術の位相シフト変調を用いて得られるマルチレベル位相符号化信号のスペクトル密度をプロットした曲線であって、スペクトルが両側波帯タイプであるものを示す。
【図１３】図１３は、直交周期信号のベースによって信号を復調する、本発明に係る装置の例のブロックダイアグラムを示す。
【図１４Ａ】図１４Ａ〜１４Ｅは、本発明の直交周期信号のベースによって信号を復調する方法における、スターティング信号と、それぞれレベルｈ＝３，２，１および０の選択的データ検出信号を表す４つのグラフと、を示す曲線を示す。
【図１４Ｂ】図１４Ａ〜１４Ｅは、本発明の直交周期信号のベースによって信号を復調する方法における、スターティング信号と、それぞれレベルｈ＝３，２，１および０の選択的データ検出信号を表す４つのグラフと、を示す曲線を示す。
【図１４Ｃ】図１４Ａ〜１４Ｅは、本発明の直交周期信号のベースによって信号を復調する方法における、スターティング信号と、それぞれレベルｈ＝３，２，１および０の選択的データ検出信号を表す４つのグラフと、を示す曲線を示す。
【図１４Ｄ】図１４Ａ〜１４Ｅは、本発明の直交周期信号のベースによって信号を復調する方法における、スターティング信号と、それぞれレベルｈ＝３，２，１および０の選択的データ検出信号を表す４つのグラフと、を示す曲線を示す。
【図１４Ｅ】図１４Ａ〜１４Ｅは、本発明の直交周期信号のベースによって信号を復調する方法における、スターティング信号と、それぞれレベルｈ＝３，２，１および０の選択的データ検出信号を表す４つのグラフと、を示す曲線を示す。
【図１５Ａ】図１５Ａ〜１５Ｃは、第１に、検出されるべき信号を生成するのに用いられた位相導関数信号を示す曲線を示し、第２に、本発明の位相符号化２値信号の復調方法における値０および値１のビットを検出するための信号を示す曲線を示す。
【図１５Ｂ】図１５Ａ〜１５Ｃは、第１に、検出されるべき信号を生成するのに用いられた位相導関数信号を示す曲線を示し、第２に、本発明の位相符号化２値信号の復調方法における値０および値１のビットを検出するための信号を示す曲線を示す。
【図１５Ｃ】図１５Ａ〜１５Ｃは、第１に、検出されるべき信号を生成するのに用いられた位相導関数信号を示す曲線を示し、第２に、本発明の位相符号化２値信号の復調方法における値０および値１のビットを検出するための信号を示す曲線を示す。
【図１６Ａ】図１６Ａおよび１６Ｂは、本発明に係る単側波帯位相符号化２値信号の同相および非同相の伝送の方法に関して、それぞれ第１の実装例における一連のビットについて検出された（または復調された）信号の実部または虚部を示すものであって、符号化信号の位相導関数変調（la modulation de derivee de phase du signal code）が各グラフに含まれているものを示す。
【図１６Ｂ】図１６Ａおよび１６Ｂは、本発明に係る単側波帯位相符号化２値信号の同相および非同相の伝送の方法に関して、それぞれ第１の実装例における一連のビットについて検出された（または復調された）信号の実部または虚部を示すものであって、符号化信号の位相導関数変調が各グラフに含まれているものを示す。
【図１７】図１７は、図１６Ａおよび１６Ｂの例で示すような、本発明に係る単側波帯位相符号化２値信号のスペクトル密度をプロットした曲線を示す。
【図１８Ａ】図１８Ａおよび１８Ｂは、本発明に係る単側波帯位相符号化２値信号の同相および非同相の伝送の方法に関して、それぞれ第２の実装例における一連のビットについて検出された（または復調された）信号の実部または虚部を示すものであって、符号化信号の位相導関数変調信号が各グラフに含まれているものを示す。
【図１８Ｂ】図１８Ａおよび１８Ｂは、本発明に係る単側波帯位相符号化２値信号の同相および非同相の伝送の方法に関して、それぞれ第２の実装例における一連のビットについて検出された（または復調された）信号の実部または虚部を示すものであって、符号化信号の位相導関数変調信号が各グラフに含まれているものを示す。
【図１９】図１９は、図１８Ａおよび１８Ｂの例で示すような、本発明に係る単側波帯位相符号化２値信号のスペクトル密度をプロットした曲線を示す。
【図２０Ａ】図２０Ａ〜２０Ｃは、本発明の実装例に係る、単側波帯振幅−位相混合被変調信号をプロットした曲線であって、変調指数ｈの値がそれぞれ１，２および３に等しいものを示す。
【図２０Ｂ】図２０Ａ〜２０Ｃは、本発明の実装例に係る、単側波帯振幅−位相混合被変調信号をプロットした曲線であって、変調指数ｈの値がそれぞれ１，２および３に等しいものを示す。
【図２０Ｃ】図２０Ａ〜２０Ｃは、本発明の実装例に係る、単側波帯振幅−位相混合被変調信号をプロットした曲線であって、変調指数ｈの値がそれぞれ１，２および３に等しいものを示す。
【図２１】図２１は、光領域への適用における、本発明に係る、単側波帯位相変調を用いたデジタル符号化装置の例のブロックダイアグラムを示す。
【発明を実施するための形態】
【００５０】
本発明は、波を変調する方法に関する。第１に、搬送波の位相へのオリジナルの時間インクリメントによって、本方法は、単側波帯（ＳＳＢ）周波数スペクトルを有する信号すなわち搬送波の周波数の上側または下側のいずれか一方の周波数成分を有するものの両方が同時に存在しない信号を、直接的に生成することを可能にする。
【００５１】
第２に、位相のインクリメントに関する同一時間形状を維持するもののそれに整数を乗じることによって、本発明の方法は、互いに直交しＳＳＢ特性を維持する時間信号のオリジナルのベースを生成することを可能にする。
【００５２】
さらに、得られる周波数スペクトルは非常にコンパクトであり、単側波帯におけるスペクトルパワーは指数関数的に低下する。
【００５３】
本方法は、（最も低い周波数から光領域までの）電磁波または音波などのあらゆるタイプの波に適用可能である。
【００５４】
直接的な用途は、デジタルデータを伝送するための、位相変調による情報の物理符号化にある（例えば、マイクロ波領域では、ＧＳＭ、ブルートゥース、Ｗｉ−Ｆｉ、デジタルＴＶ、衛星通信、ＲＦＩＤなど、．．．または、光領域では、高速データ伝送など）。
【００５５】
本発明は、搬送波の位相を変調するための具体的な変調の形式であって、それ単独で単側波帯周波数スペクトルを生成可能なものを提案する。
【００５６】
搬送周波数ｆcの波（onde de frequence porteuse fC）によって構成された信号ｓh（ｔ）のセットであって該信号ｓh（ｔ）の位相φ（ｔ）＝ｈφ0（ｔ）が時間ｔで： 
【数２０】
2018511202.tif 000022
のように変調されたものを考える。ここで、ｈは正の整数またはゼロであり、φ0（ｔ）＝２ａｒｃｔａｎ（（ｔ−ｔ0）／ｗ0）である。
【００５７】
変調（modulation）は、時間ｔ0を中心とし特性期間ｗ0（＞０）を有する単一の位相パルスに対応するものであり、量ｈ２πだけ信号ｓh（ｔ）の位相をインクリメントするものである。
【００５８】
位相変調に基づくデジタル伝送で使用される用語を用いれば、ｈは変調指数として知られている。
【００５９】
信号のスペクトル密度
【数２１】
2018511202.tif 000023
は、図１Ａ〜１Ｃに示されている。ここで、
【数２２】
2018511202.tif 000024
はｓh（ｔ）のフーリエ変換である。図１Ａ〜１Ｃでは、ｈの値がそれぞれ１，２および３に等しい。
【００６０】
スペクトルが単側波帯スペクトルであることが見て取れる：スペクトルは、ｆcよりも低い周波数帯における成分を全く有さない。
【００６１】
なお、ｈ＜０となるように変調指数が選択された場合には、スペクトルは搬送周波数について鏡像となり、上側の帯域における成分がないということになる。
【００６２】
ｔ0およびｗ0の選択は任意であってよいが、それは単側波帯特性を変えない。
【００６３】
明らかではあるが、スペクトル密度は、次数ｈ−１のルジャンドル多項式Ｌh（ｘ）によって乗じられた減少指数関数によって与えられる。
【数２３】
2018511202.tif 000025
【００６４】
驚くべきことに、位相変化がインクリメントの合計
【数２４】
2018511202.tif 000026
に一般化されるとき、単側波帯スペクトルが維持される。ここで、ｈiは正の整数である。さらに、φi（ｔ）＝２ａｒｃｔａｎ（（ｔ−ｔi）／ｗi）であり、任意のｗi＞０およびｔiを伴っている。
【００６５】
全ての整数ｈiが同じ符号を有しているという条件が、ＳＳＢ特性を維持するためには必須である。
【００６６】
形
【数２５】
2018511202.tif 000027
は、単側波帯位相符号化による２値情報伝送に関する以下の適用例に利用および使用される。
【００６７】
ＳＳＢ位相変調のいくつかの重要な特性は、以下の通りである。
【００６８】
・単一の位相パルスでは、任意のｔ0およびｗ0を伴う一般形φ0（ｔ）＝２ａｒｃｔａｎ（（ｔ−ｔ0）／ｗ0）のみが単側波帯を生成可能である。時間変化の他の形は、両側波帯スペクトルを生じさせる。位相が、φ0に似た形を有し任意の幅を有し任意の時刻に生成され任意の正の整数で乗じられた複数の位相パルスの合計である場合、ＳＳＢ特性は維持される。
【００６９】
・位相の符号が逆である場合、搬送周波数について鏡像の単側波帯スペクトルが得られる。
【００７０】
・乗算係数ｈ（より一般的には全てのｈiであり、これらは必ず同じ符号を有している必要がある）は必ず整数である必要がある。
【００７１】
・図２Ａおよび２Ｂは、λ（ｈと置き換え）が整数ではない場合の信号ｓλ（ｔ）＝ｃｏｓ（２πｆCｔ＋λφ0（ｔ））について得られるスペクトルが単側波帯スペクトルではないことを示している。
【００７２】
・以下で説明するように、正の整数をφ0に乗じることは、直交関数のベースを生成することを可能にする。
【００７３】
さらに、以下では、完璧ではないものの、完璧な変調に近くそれ故同様に本発明の範囲内となる種類の変調についてのＳＳＢ基準について説明する。
【００７４】
位相のインクリメントが２πの整数倍ではない変調は、変調の形が変わっていない場合すなわち位相導関数がローレンツ関数の場合であっても、第２の側波帯を生じさせる。このことは、図２Ａおよび図２Ｂにおいて明らかである。
【００７５】
ＳＳＢ特性を定量化するために、以下のように、搬送波よりも高い周波数のスペクトルパワーの合計をトータルのスペクトルの合計で割った比率を定義することができる：
【数２６】
2018511202.tif 000028
【００７６】
それぞれλ＝０．５および１．５での変調に関する図２Ａおよび２Ｂにおいて、それぞれｃSSB＝５６．９％および６１．７％であることすなわちスペクトルが単側波帯に期待されるもの（ｃSSB＝１００％）から顕著に乖離していることが分かる。
【００７７】
ある適用例では、位相φ0（ｔ）＝２ａｒｃｔａｎ（（ｔ−ｔ0）／ｗ0）の変化がゆっくり過ぎて値２πに到達しないと考えられる。具体的に：
【数２７】
2018511202.tif 000029
【００７８】
ゆっくりとした部分が切り取られた（la partie lente est tronquee）φ0（ｔ）の概略的な形を定義することは役立ち得る。それは、単側波帯振幅−位相混合変調への適用のために説明される例で実行される。
【００７９】
ローレンツ関数ｄφ0（ｔ）／ｄｔが、幅ｓのガウス関数によって乗じられる。概略的な位相の導関数をφ0,S（ｔ）を用いて表すと
【数２８】
2018511202.tif 000030
である。ここで、パラメータμは、トータルの位相のインクリメントを２πに等しくなるように維持することを可能にする乗算係数である。幅ｗ＝０．３７を有するローレンス関数と２つのガウス幅ｓ＝２．７および１．８５（それぞれμ＝１．１１２および１．１６５）とについてのｓ（ｔ）＝ｃｏｓ（２πｆCｔ＋φ0,S（ｔ））のスペクトルパワーが、図３Ａおよび３Ｂに示されている。
【００８０】
ここでは位相の導関数がローレンツ関数とは異なるため、下側波帯が現れている。しかしながら、ｓ＞＞ｗというこれらの値は、１００％に近い（それぞれｃSSB＝９５．９％および９５％）というＳＳＢ特性を維持することを可能にする。
【００８１】
以下、単側波帯位相符号化による２値情報伝送への本発明の適用例を記載する。
【００８２】
知られた位相符号化方法が図４を参照しつつ先にまとめられており、それらは全て両側波帯スペクトルを生じさせる。
【００８３】
以下、本発明の適用例に係る、単側波帯位相変調を用いたデジタル符号化の原理を説明する。
【００８４】
本発明の適用例について、以下の位相符号化を考える：持続期間Ｔbのｋ番目ビットが、量２ｂkａｒｃｔａｎ（（ｔ−kＴb）／ｗ）を搬送波のトータルの位相φ(t)に寄与させる。ここで、ｂk＝１または０であり、幅ｗはシンボル時間Ｔbと同じまたはシンボル時間Ｔbよりも短い。
【００８５】
実際には、位相の導関数を考えるとよりシンプルである。これは、その場合、ｋＴbを中心とするローレンツ関数２ｗ／（（ｔ−kＴb）2＋ｗ2）をビットｂkによって重み付けたものの合計となる。
【００８６】
図５Ａは、生成された位相導関数信号を示す。図５Ｂに示すように、位相は積分により計算され（integree）、従来型の位相変調方法を用いて搬送波に適用される。
【００８７】
伝送用の信号：
【数２９】
2018511202.tif 000031
を得るために、量ｃｏｓφ（ｔ）およびｓｉｎφ（ｔ）が計算され、搬送波の同相レベルｃｏｓ２πｆCｔおよび直交レベルｓｉｎ２πｆCｔと結合させられる。
【００８８】
上記のデジタル符号化の実行を可能にする装置のブロックダイアグラムを、図６に示す。
【００８９】
図６において、データｂk＝１または０を供給するためのモジュール１０１、ローレンツ関数生成器１０２、位相生成モジュール１０３、位相積分モジュール１０４、量ｃｏｓφ（ｔ）およびｓｉｎφ（ｔ）をそれぞれ生成するためのモジュール１０５および１０６、搬送周波数生成器１０７、位相シフトモジュール１０８、ミキサー回路１０９および１１０、ならびに、伝送用の信号：
【数３０】
2018511202.tif 000032
を得るために量ｃｏｓφ（ｔ）およびｓｉｎφ（ｔ）を搬送波の同相レベルｃｏｓ２πｆCｔおよび直交レベルｓｉｎ２πｆCｔと結合するための加算回路１１１を見て取れる。
【００９０】
出力増幅器１１２は、送信アンテナ１１３に接続されている。
【００９１】
単側波帯位相符号化信号のスペクトルを考える。
【００９２】
ｗ／Ｔb＝０．３７となるようなパルス幅についての信号のスペクトルパワーを図７に示す。周波数は、１／Ｔb単位である。搬送波は、１０／Ｔbに等しい周波数を有する。他の搬送周波数の選択は、その周りに似たようなＳＳＢスペクトルを生じさせる。
【００９３】
スペクトルは、明確に、単側波帯特性を示している。搬送周波数の左では、スペクトルが極めて急速に低下しており、その有限の値は、有限サイズの効果（effets de taille finie）のみに起因している。搬送周波数の右では、周波数ｆC＋１／Ｔbにおいてスペクトルパワーが急に２０ｄＢ低下し、その後、周波数ｆC＋２／Ｔbにおいてさらに２０ｄＢ低下し、以下同様である。
【００９４】
高めの周波数での低下のコンパクト化は、有限個のサンプルを用いた計算結果である（持続期間Ｔbにおける２５９ビットの一連の乱数の独立した抽出に対応する３２個のスペクトルの平均である）。
【００９５】
より小さい幅ｗ／Ｔbが選択された場合、より高い周波数へとフーリエ要素が拡がる。具体的には、周波数が１／Ｔb増加すると、パワーは
【数３１】
2018511202.tif 000033
だけ指数関数的に低下し、すなわち、ｗ／Ｔb＝０．３７では１／１００（−２０ｄＢ）である。
【００９６】
また、スペクトルは、周波数ｆC、ｆC＋１／Ｔb、ｆC＋２／Ｔbなどを中心とする、スペクトル線と呼ばれる狭いピークを示している。これらは、厳密に２πに等しい位相インクリメントの選択に由来するものである。この作用は、Ｔｈｅ  Ｂｅｌｌ  Ｓｙｓｔｅｍ  Ｔｅｃｈｎｉｃａｌ  Ｊｏｕｒｎａｌ，  ５４，  Ｎｏ．６，  １０９５−１１２５頁  （１９７５）に掲載されたＨ．Ｅ．  ＲｏｗｅおよびＶ．Ｋ．  Ｐｒａｂｈｕによる“Ｐｏｗｅｒ  ｓｐｅｃｔｒｕｍ  ｏｆ  ａ  ｄｉｇｉｔａｌ，  ｆｒｅｑｕｅｎｃｙ−ｍｏｄｕｌａｔｉｏｎ  ｓｉｇｎａｌ”と題された論文で報告されているように、インクリメントが２πである従来型の位相変調方法で既に言及されている。
【００９７】
本方法では、この値から離れないことが重要である、というのは、そのようにすると、スペクトルにおいて下側波帯が再出現するためである。
【００９８】
しかしながら、実際は、インクリメントが２πよりも数パーセントだけ小さかったり大きかったりするに過ぎない場合には、スペクトルにおけるこの下側波帯は無視でき、スペクトルにおける狭いピークは減少しあるいは消滅する。このことが、位相のインクリメントが０．９６５×２πであるスペクトルについての図８Ａに示されている。狭いピークの低減は、９．５〜１０の範囲における周波数の曲線のノイズ部分を伴っており、小さいが非ゼロである下側波帯における影響が現れていることを示している。位相インクリメントが０．９１２３×２πでは、現象はもう少し顕在化する（図８Ｂ参照）。位相インクリメントが０．９（２π）よりも小さいまたは１．１（２π）よりも大きいと、ＳＳＢ特性は失われると考えられる。
【００９９】
最後に、図９は、（同じ位相インクリメントを維持しつつ同等なパルス幅で）ｄφ／ｄｔにおけるローレンツ関数がガウス関数によって置き換えられた場合に得られるスペクトルを示す。スペクトルの違いは顕著である。下側波帯の現れは非常に顕著である。
【０１００】
以下、図１０を参照して、本発明に係るＳＳＢ位相符号化信号を復調するための方法および装置の例を説明する。
【０１０１】
受信の際の、アンテナ２０１および増幅器２０２による、搬送波から信号を取り出すための第１の復調ステップは、従来型のものである。周波数ｆCの局部発信器２０３は、０°−９０°位相器２０６を介してミキサー２０４および２０５に結合されており、０°−９０°位相器２０６は、変調信号の同相成分ｃｏｓ（φ（ｔ））および直交成分ｓｉｎ（φ（ｔ））を得る役割を担う。計算モジュール２０７においてそれらを微分しそれらにそれらのパートナーを乗じることによって、以下の位相導関数：
【数３２】
2018511202.tif 000034
が得られる。
【０１０２】
これは、図５Ａのもののような最初に生成された一連のローレンツパルスを再構成することを可能にする。単一のローレンツ関数の大きさの半分の値の閾値検出器２０８を設けることにより、時間ｔk＝Ｔbにおけるビットｂk＝１または０の値を容易に識別できる。クロック２０９は、レート１／Ｔbでパルスを閾値検出器２０８に供給する。
【０１０３】
実際は、検出ノイズも、検出される信号に加えられる。信号、この例ではｓｉｎφおよびｃｏｓφ、を微分することは、ノイズの作用を増加させる作用を有する。以下のように、単側波帯位相パルスの直交特性を参照しつつ、微分を利用しないものである他の変調手段を利用できる。
【０１０４】
以下、単側波帯直交信号を生成する方法を記載する。
【０１０５】
主題は、有限の持続期間Ｔbにわたる直交関数ｕh（ｔ）のセット、ここでｈ＝１，２，３，．．．，Ｎである、を生成することであり、その目的は、例えばデータチャンネル毎のレートを１／Ｔbとするデータ伝送に、それらを使用することである。
【０１０６】
それらの直交関数を作るためには、第１に、Ｔbが無限（単一のパルス）である状況を考えることが有益である。
【０１０７】
直交関数のベースは：
【数３３】
2018511202.tif 000035
であり、先に定義した位相φ0（ｔ）＝２ａｒｃｔａｎ（ｔ／ｗ）が利用される。
【０１０８】
シンプルとする観点から、関数はｔ＝０を中心としている。
【数３４】
2018511202.tif 000036
を確認できる。
【０１０９】
実際には、信号
【数３５】
2018511202.tif 000037
を考え以下の積分：
【数３６】
2018511202.tif 000038
を実行することによって２つの信号ｓh（ｔ）およびｓh’（ｔ）が直交して分離していることを確保することがより有利であり得る。ここで、ｄφ0／ｄｔ＝２ｗ／（ｔ2＋ｗ2）は積分用の重み（測度）として現れる。
【０１１０】
この定義では、信号ｓh（ｔ）は一定の振幅（一定の絶対値）を有しており、このことは、それらの生成にあたり実用的な利点（一定の伝送パワー）となり得る。ｓh（ｔ）のスペクトルは、単側波帯を有する。
【０１１１】
無限ではなく有限の時間間隔Ｔbにわたる直交関数への一般化は、持続期間Ｔbだけ離れた周期的な一連の位相パルスを考えることによって得られる。これは、以下の周期信号：
【数３７】
2018511202.tif 000039
を与える。位相φ0の導関数は、ローレンツ関数の周期和である。
【０１１２】
この和は、周期関数の形：
【数３８】
2018511202.tif 000040
で書き直すことができる。
【０１１３】
整数ｈおよびｈ’で異なる２つの信号は、時間間隔Ｔbにわたる直交関係：
【数３９】
2018511202.tif 000041
を満たす。繰り返しになるが、ｄφ0／ｄｔは積分用の重みとして作用する。
【０１１４】
実際、φ0（ｔ，Ｔb）を与えその後
【数４０】
2018511202.tif 000042
が合成されるように、ｄφ0／ｄｔが計算され（または生成され）その後積分される。整数を位相に乗じることのみで、直交性を有する振幅一定の信号のセットを得ることが可能となることが分かる。さらに、スペクトル、ここでは離散している、は、単側波帯特性を維持する。
【０１１５】
以下、位相符号化マルチレベルデジタル信号の検出への適用例を記載する。
【０１１６】
第１に、マルチレベル位相符号化の選択が、検討される。
【０１１７】
主題は、例えば振幅変調の２バイナリ１クォータナリ（２Ｂ１Ｑ）法のような、４レベルに関する２ビットの符号化であるが、位相変調に転用される。
【０１１８】
当然ながら、ｈ＝０，１，．．．，Ｎ−１でＮ＝２pのＮレベル（Ｎ項ビット）への一般化が可能である。１秒毎のビットレートは、上述のような１／Ｔbではなくｐ／Ｔbとなる。
【０１１９】
位相
【数４１】
2018511202.tif 000043
の符号化を選択できる。ここで、ビットｂkは値ｂk＝０，１，２，３（それぞれ、００，０１，１０および１１に関する）を有し、時間間隔（ｋ−１／２）Ｔb≦ｔ＜（ｋ＋１／２）Ｔbで定義される。
【０１２０】
復調の際に４値ビットｂkの値を再現するために、各時間間隔［ｋ−１／２，ｋ＋１／２］Ｔbにわたる信号
【数４２】
2018511202.tif 000044
の直交性をいっぱいに（pleinement）利用することが可能である。それは、本発明の１つのあり得る適用例である。
【０１２１】
しかしながら、異なる値の２つの連続ビットｂkおよびｂk+1について、位相の導関数は、（ｂk+1−ｂk）ｄφ0（Ｔb／２，Ｔb）／ｄｔに等しい非連続性を有する。そのような非連続性は、ゆっくりと低下するスペクトル尾部を生成する。ここで選択されている適用例では、直交特性の利用を比較的少なくして、スペクトルのコンパクトさを優先している。この目的で、上述のように、位相は、
【数４３】
2018511202.tif 000045
のように符号化される。ここで、
【数４４】
2018511202.tif 000046
である。
【０１２２】
位相の導関数は、無作為に４つの値のレベルをとる大きさ（amplitude）を有するローレンツ関数の合計である。この符号化は、位相の非連続性がないことを確保する。しかしながら、信号
【数４５】
2018511202.tif 000047
は、ｂkを取り出すための復調に用いられる関数
【数４６】
2018511202.tif 000048
との直交関係を満たさず、概ね直交関係を満たすに過ぎない。しかしながら、復調は実際上効果的である。
【０１２３】
データ伝送の原理は、図５Ａおよび５Ｂに示したものと似ているが、２値ビット０，１は４値ビットｂk＝０，１，２，３によって置き換えられている。
【０１２４】
以下、マルチレベル位相符号化信号のスペクトルを説明する。
【０１２５】
提案される適用例として、持続期間Ｔbにおける一連の３３個の４値ビットで構成された信号のスペクトルを考える。信号は、以下：ｓ（ｔ）＝ｃｏｓ（２πｆCｔ＋φ（ｔ））のように生成される、ここで、
【数４７】
2018511202.tif 000049
である。４値ビットｂk＝０，１，２または３（２値ビット００，０１，１０，１１に対応）は、擬似乱数生成器を用いて選択され、データシーケンスを構成する。レートは、２／Ｔbビット毎秒である。搬送波の周波数はｆc＝１０／Ｔbというように選択され、幅はｗ＝０．３Ｔbというように選択される。
【０１２６】
図１１に、３２個の異なる４値ビットのシーケンスに対応する平均周波数スペクトルを示す。
【０１２７】
単側波帯特性は、明らかに見られる。スペクトルは、平均搬送周波数＜ｆ＞＝ｆC＋＜ｂk＞／Ｔb＝１１．５／Ｔbよりも低い無視できない周波数成分を有さない。
【０１２８】
＜ｆ＞＋２／Ｔbよりも高い周波数について、スペクトルは、各１／Ｔbにつき約１０ｄＢ（ビットレート２／Ｔbに等しい周波数増加につき２０ｄＢ）急速かつ指数関数的に低下している。より大きな幅ｗは、より速い指数関数的な低下をもたらす。
【０１２９】
これに対し、図１２に示す以下のグラフは、周波数が４つのレベルに変調される
【数４８】
2018511202.tif 000050
周波数シフトキーイング（ＦＳＫ）タイプの変調の結果である。
【０１３０】
本発明の一部を構成しない上述のような形態では、平均搬送周波数＜ｆ＞＝ｆC＋＜ｂk＞／Ｔb＝１１．５／Ｔbの両側に両側波帯タイプのスペクトルが見られる。その主幅は２／Ｔbであるが、スペクトルは、ゆっくりと非指数関数的に低下するスペクトル尾部を伴っている。
【０１３１】
以下、直交周期信号のベースによって信号を復調する方法および装置を説明する。
【０１３２】
受信の際、搬送波から信号を取り出すための第１の復調のステップは、従来型のものであり、図１０を参照して上述した例と似ている。アンテナ３０１によって受信された信号は、増幅器３０２で増幅される。周波数ｆCの局部発信器３０３は、０°−９０°位相器３０６を介してミキサー３０４および３０５に結合されており、０°−９０°位相器３０６は、変調信号の同相成分ｃｏｓ（φ（ｔ））および直交成分ｓｉｎ（φ（ｔ））を得る役割を担う。第１の実施形態では、被変調信号の位相の導関数を得るために、図１０のものと同じスキームを使用できる。しかしながら、４つの振幅レベル（ゼロ振幅を含む）の検出は難しく、その理由は、隣接する時刻に伝送された異なる大きさのローレンツ関数（Lorentziennes d'amplitude differente）間の重複にある。
【０１３３】
好ましいソリューションは、周期直交信号の以下のベース
【数４９】
2018511202.tif 000051
を用いることである。
【０１３４】
実際、４値ビットの４つのレベルｈ＝０，１，２および３は、分離して検出される。これは、４つの量
【数５０】
2018511202.tif 000052
を構成するための図１３で参照符号３０７が付された適切な復調手段を使用し、以下：
【数５１】
2018511202.tif 000053
を与える時間幅Ｔbのゲート関数を用いた畳み込みを実行するためのモジュール３０８を使用することによって達成される。
【０１３５】
その後、モジュール３０９において、量
【数５２】
2018511202.tif 000054
が計算される。この量（ビットレベルｈの検出信号を構成する）において見られる時刻ｔ＝ｋＴbにおけるレベルｈ＝０，１，２または３に関するピークは、ビットｂkがｈに等しいことを示している。
【０１３６】
４つの閾値検出器３１０〜３１３は、それぞれ、レベルｈ＝０，１，２および３用に使用される。
【０１３７】
クロック３１４は、レート１／Ｔbでパルスを送る役割を担う。
【０１３８】
また、図１３は、期間Ｔbの周期ローレンツ関数の生成器と、モジュール３０７に値ｓｉｎ（ｈφ0（ｔ，Ｔb））およびｃｏｓ（ｈφ0（ｔ，Ｔb））を供給するための計算モジュール３１６と、示す。
【０１３９】
図１４Ａ〜１４Ｅは、下から上まで：スターティング信号
【数５３】
2018511202.tif 000055
と、レベルｈ＝３，２，１および０のビットの検出のための、選択的検出信号を表す４つのグラフ（図１４Ｂ〜１４Ｅ）と、を表す。
【０１４０】
マルチレベルビットｂkについて検討されるべき情報は、ちょうどｔ＝ｋＴbで得られる検出信号の値によって与えられる。例えば、ｋ＝−８では、ｈ＝３について検出された信号のレベル（図１４Ｂ）は大きな値をとるとともにピークを示し、一方、ｈ＝０，１および２にそれぞれ対応するグラフ（図１４Ｅ,１４Ｄおよび１４Ｃ）については信号レベルは低い：よって、ビットｂk=-8は値３（または１１）を有する。また、レベルｈ＝１および２（図１４Ｄおよび１４Ｃ）について、整数ｔ／Ｔbでは無視できない値であるが、ピークではなくむしろ底に対応し、ｂkの値を識別するのには考慮されない値が見られることがあり得る。例えば、ｋ＝−２では、ｂk＝０が、ｈ＝０（図１４Ｅ）の検出信号に関するピークによって識別され、一方、ｈ＝１（図１４Ｄ）の検出信号の値は、ゼロではないが底に関連付けられる。
【０１４１】
ローレンツ関数の重複の程度が大きいにも関わらず、信号を周期信号のベースに基づいて計算する（projeter）方法は、ビットを、それらのレベルに基づいて非常に効果的な態様で選択的にソートすることを可能にすることが分かる。
【０１４２】
先に例示したような、位相符号化２値信号の復調を、再度考える。
【０１４３】
上述のように、検出信号がノイズの多いものである場合、同相の導関数（derivee en phase）の再構成は、効果的ではないことがある。４値ビットについて上述したような、直交性を利用した復調方法は、好ましいものであり、２値信号についてより効果的に適用される。
【０１４４】
既に述べた通り、検出は、以下：
【数５４】
2018511202.tif 000056
を計算するものである。ここで、ｈ＝１または０であり、
【数５５】
2018511202.tif 000057
である。
【０１４５】
繰り返しになるが、φ0（ｔ）はφ0（ｔ，Ｔb）との直交関係を満たしていないが、重複は効率的な復調には十分である。図１５Ａ〜１５Ｃは、図４に示した２５９ビットのシーケンスのラスト３８ビットについての、値０のビット（図１５Ａ）および値１のビット（図１５Ｂ）の検出信号を示す。図１５Ｃは、検出されるべき信号を生成するために用いられた、同相の導関数信号（le signal de derivee en phase）を再度示している（rappelle）。
【０１４６】
本発明は、種々の他の実用例、具体的には、単側波帯の位相符号化２値信号の同相および非同相の伝送に役立つ。
【０１４７】
この実用例では、データレートを２倍にするために（すなわち、シンボルレートの２倍に等しいビットレートを持つために）、搬送波の同相成分および直交成分を個々に変調できることを利用することが提案される。
【０１４８】
上述の例では、信号は、一定のパワー（または振幅）の、以下のようなものである：
【数５６】
2018511202.tif 000058
【０１４９】
現在の例では、信号は２つのレベルの合計であるため、それは一定の振幅を有さない：
【数５７】
2018511202.tif 000059
【０１５０】
この例では、
【数５８】
2018511202.tif 000060
である。ここで、２つの独立したビットｂk,1(2)のセットは、レートを２倍にするために用いられている。
【０１５１】
非同相レベルおよび同相レベルについてのスペクトルはいずれも単側波帯であるため、トータルの信号もまた単側波帯特性を有している（図１７および１９参照）。
【０１５２】
以下、伝送されたビットにおける情報を取り出すための復調処理について、説明する。
【０１５３】
シンプル化の目的で、この説明は、２値ビットに制限される。よい復調には、φ1（ｔ）の相対的相変化およびφ2（ｔ）の相対的位相変化は小さく維持するべきことが示されている。これらの変化は、隣接する位相パルス間の干渉（重複）（「符号間干渉」（ＩＳＩ）としても知られている）に由来するものであり、図３Ａおよび３Ｂの例では適用されていない制約である。
【０１５４】
搬送波の復調の際、同相部分および非同相部分が得られ、すなわち、それぞれ：
【数５９】
2018511202.tif 000061
【０１５５】
ｗ＜＜Ｔb（ＩＳＩなし）のとき、ｔ＝ｋＴbについて、実部Ｒｅ（ｋＴb）＝ｃｏｓ（ｂk,1π）−ｓｉｎ（ｂk,2π）は、ｂk,1＝０または１のそれぞれについて１または−１を与え、ｂk,2の値と無関係である。
【０１５６】
同様に、虚部：Ｉｍ（ｋＴb）＝ｓｉｎ（ｂk,1π）＋ｃｏｓ（ｂk,2π）は、ｂk,2＝０または１のそれぞれについて１または−１を与え、ｂk,1の値に無関係である。
【０１５７】
Ｒeは、ビットの第１セットに関する情報を与え、Ｉmは、ビットの第２セットに関する情報を与える。ｗ／Ｔbが比較的大きい場合、追加的な位相
【数６０】
2018511202.tif 000062
が、Ｔbにおける望まれる位相にφ1（ｋＴb）＝ｂk,1π＋θ1のように追加される。同様に、位相θ2はφ2に影響する。これは、以下：
【数６１】
2018511202.tif 000063
を与える。
【０１５８】
エラーなしで時間ｋＴbに伝送された各ビットを再現するためには、｜θ1｜＜＜π／４かつ｜θ2｜＜＜π／４（つまり、ＲｅおよびＩｍが、無視できない正（ビット０）または負（ビット１）のゼロに近くない値を常に有することを確保すること）が必須である。
【０１５９】
ＩＳＩを制限するために、範囲（ｋ±Ｎ）Ｔbにある時間において伝送されたビットにｄφ/ｄｔの時間フィルタリングが用いられる場合：
【数６２】
2018511202.tif 000064
である。ここで、γ＝０．５７７．．．は、オイラーの定数である。実際、これは、ｗ／Ｔb＝０．３７についてＮ＜＜４．７を与え、ｗ／Ｔb＝０．３２についてＮ＜＜６．５を与え、ｗ／Ｔb＝０．１８５についてＮ＜＜３９を与える。全ての状況において、隣接する位相パルス間の干渉を制限するには時間フィルタリングが必要である。
【０１６０】
以下、いくつかの例を示す。
【０１６１】
ＩＳＩを制限する１つのやり方は、位相導関数に、図３Ａおよび３Ｂを参照して上述したような、ローレンツ−ガウス関数であって：
【数６３】
2018511202.tif 000065
を積分することによって基本位相パルスが得られるものを利用することである。ここで、パラメータμは、トータルの位相のインクリメントを２πに等しくなるように維持することを可能にする係数である。
【０１６２】
図１６Ａおよび１６Ｂは、ｗ／Ｔb＝０．３２でありｓ／Ｔb＝３．２（μ＝１．０８１１）でありさらに：
【数６４】
2018511202.tif 000066
である一連のビットについての、任意の単位における、信号Ｒｅ（図１６Ａ）およびＩｍ（図１６Ｂ）を示す。
【０１６３】
搬送周波数ｆc＝１３（１／Ｔb単位）に関する対応する周波数スペクトルを、図１７に示す。
【０１６４】
下側波帯における小さいスペクトル要素を除けばＳＳＢ特性がよく維持されている、というのは、基本位相導関数が厳密なローレンツ関数ではないのである。スペクトルの９０％は、１／Ｔb周波数帯つまりビットレートの半分に集中している。
【０１６５】
以下の例は、以下のパラメータ：ｗ／Ｔb＝０．３７およびｓ／Ｔb＝２．７（μ＝１．１１２）を用いて、スペクトルの９８％をビットレートの半分に等しい周波数帯に収めることができることを示している。図１８Ａおよび１８Ｂは、信号Ｒｅ（図１８Ａ）および信号Ｉｍ（図１８Ｂ）を示し、図１９はスペクトルを示す。
【０１６６】
これら２つの例は、非常にコンパクトなＳＳＢスペクトルで、約２ビット毎秒毎ヘルツ（ｂｉｔ／ｓ／Ｈｚ）という非常に高いスペクトル効率（スペクトル幅に対するビットレートの比率）が得られ得ることを示している。
【０１６７】
以下、単側波帯振幅−位相混合変調への適用例を記載する。
【０１６８】
本発明の直接的な適用例は、搬送波信号を振幅と位相の両方で変調するものである。
【０１６９】
上記では、位相φ（ｔ）の変調だけを考えてきた。原理は、信号の１つのパルスすなわちゼロで始まりその後ゼロに戻る信号を処理することである。ｔ0を中心とし幅ｗ0を有する単一のパルスについて、かつ、基本位相パルスφ（ｔ）＝φ0（ｔ）＝２ａｒｃｔａｎ（（ｔ−ｔ0）／ｗ0）とについて：
【数６５】
2018511202.tif 000067
【０１７０】
信号は、振幅変調ｃｏｓ（φ0（ｔ）／２）および位相変調φ0（ｔ）／２の形を用いて、以下のようにも記載できる：
【数６６】
2018511202.tif 000068
【０１７１】
よって、φ（ｔ）＝ｈφ0（ｔ）（ｈ＝１，２，３，．．．）であるパルスについて以下のように一般化できる。
【数６７】
2018511202.tif 000069
図２０Ａ〜２０Ｃは、搬送波ｆc＝１３でパルス幅ｗ／Ｔb＝０．３７の変調でそれぞれｈ＝１，２および３についての信号ｓ（ｔ）を示す。時間信号は、互いに直交している。
【０１７２】
得られるスペクトルは、ＳＳＢスペクトル（ｃｏｓ（２πｆCｔ＋φ（ｔ））の項）と周波数ｆCに局在化したスペクトル（ｃｏｓ（２πｆCｔ）の項）との合計によって与えられ、よって、それは単側波帯スペクトルである。それは、周波数ｆCで強くなっている点以外は、それぞれｈ＝１，２および３に関する図１Ａ〜１Ｃのスペクトルと同じである。
【０１７３】
以下、単側波帯位相パルス生成器のいくつかの実用例について記載する。
【０１７４】
完全にデジタルの態様で、搬送波およびその変調波を合成できる：この技術の現状では、数百万パルス毎秒までのレートで生成される位相パルスおよびＧＨｚオーダまでの搬送波については、専用の高速プロセッサ（「デジタルシグナルプロセッサ」（ＤＳＰｓ）として知られている）、または、再構成可能な高速プロセッサ（「フィールドプログラマブルゲートアレイ」（ＦＰＧＡｓ）として知られている）を利用したデジタルの方法を採用可能である。
【０１７５】
比較的低いビットレート、現在では百万パルス毎秒未満であるが技術の進展に伴い上昇する可能性がある、では、「ソフトウェア無線」カードに基づいた安価なソリューションを利用できる。搬送波の同相部分および直交部分を乗じるために、デジタル−アナログ変換の後に、図６の実施形態のように量ｓｉｎφ（ｔ）およびｃｏｓφ（ｔ）が生成され、別個にミキサーに送られる。
【０１７６】
あるいは、デジタル合成を用いるのであるが、位相φ（ｔ）が計算され、その後デジタル−アナログ変換がなされ、その後電圧制御位相器または発信器に送られる。
【０１７７】
アナログ合成を実行することもできる。そのような場合、２ＮＴb離れた位相パルス間の重複が無視できるような基本位相φ0,S（ｔ）を用いて、ｄφ（ｔ）／ｄｔが、期間２ＮＴbにおけるパルスｄφ0,S（ｔ）／ｄｔの２Ｎ個の周期的なシーケンスであって各シーケンスが先行するシーケンスからＴbだけ時間的にずれたものを生成することによって合成される。周期的なシーケンス
【数６８】
2018511202.tif 000070
は、１／２ＮＴbの整数倍の周波数の高調波であって適切な位相および振幅を有するものを生成することによって、容易に合成できる。
【０１７８】
時間間隔
【数６９】
2018511202.tif 000071
において、ビットは、それらにｂk+qというインデックスを付するために逆多重化され、幅２ＮＴbのゲート関数П（ｔ）を用いることによって、トータルの位相導関数：
【数７０】
2018511202.tif 000072
を作ることができる。
【０１７９】
１／２ＮＴbの整数倍の周波数の高調波を合成することによって周期パルスを生成するための処理は、周波数逓倍器を直列に接続することによってまたはベース高調波を生成するための周波数コム生成器を用いることによって、数十ＧＨｚまでの周波数領域で容易に実行できる。
【０１８０】
光領域においては電気光学変調器を用いて波の位相を直接的に変調でき、図２１の実施形態に示されているように、変調器に印加される電圧は位相変化に比例する。
【０１８１】
図２１では、データｂk＝１または０を供給するためのモジュール４０１、ローレンツ関数生成器４０２、位相生成モジュール４０３、位相積分モジュール４０４、搬送周波数を生成するためのレーザ生成器４０６、および電気光学位相変調器４０５を見て取れる。電気光学位相変調器４０５は、望まれる位相変化を表す電圧の作用でＳＳＢ位相被変調光信号が光通信ネットワークにおける伝送のために変調器４０５において生成される態様で、波の位相を直接的に変調する役割を担う。
【０１８２】
添付の請求項によって規定される範囲を逸脱することなく上述の実施形態に対して種々の改変および追加が適用され得る。
【０１８３】
具体的には、種々の実施形態は、明細書に反対の記載が無い限り、互いに組み合わせ可能である。
【図１Ａ】
2018511202.tif 000092
【図１Ｂ】
2018511202.tif 000093
【図１Ｃ】
2018511202.tif 000094
【図２Ａ】
2018511202.tif 000095
【図２Ｂ】
2018511202.tif 000096
【図３Ａ】
2018511202.tif 000097
【図３Ｂ】
2018511202.tif 000098
【図４】
2018511202.tif 000099
【図５Ａ】
2018511202.tif 000100
【図５Ｂ】
2018511202.tif 000101
【図６】
2018511202.tif 000102
【図７】
2018511202.tif 000103
【図８Ａ】
2018511202.tif 000104
【図８Ｂ】
2018511202.tif 000105
【図９】
2018511202.tif 000106
【図１０】
2018511202.tif 000107
【図１１】
2018511202.tif 000108
【図１２】
2018511202.tif 000109
【図１３】
2018511202.tif 000110
【図１４Ａ】
2018511202.tif 000111
【図１４Ｂ】
2018511202.tif 000112
【図１４Ｃ】
2018511202.tif 000113
【図１４Ｄ】
2018511202.tif 000114
【図１４Ｅ】
2018511202.tif 000115
【図１５Ａ】
2018511202.tif 000116
【図１５Ｂ】
2018511202.tif 000117
【図１５Ｃ】
2018511202.tif 000118
【図１６Ａ】
2018511202.tif 000119
【図１６Ｂ】
2018511202.tif 000120
【図１７】
2018511202.tif 000121
【図１８Ａ】
2018511202.tif 000122
【図１８Ｂ】
2018511202.tif 000123
【図１９】
2018511202.tif 000124
【図２０Ａ】
2018511202.tif 000125
【図２０Ｂ】
2018511202.tif 000126
【図２０Ｃ】
2018511202.tif 000127
【図２１】
2018511202.tif 000128
【国際調査報告】
2018511202.tif 000129
2018511202.tif 000130
2018511202.tif 000131
2018511202.tif 000132